【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】
ネットワークを介してパケットを受信する受信手段と、
前記パケットに含まれる上位レイヤに関するデータを、上位レイヤの処理前にメモリに書き込むデータ保持手段と、
上位レイヤの処理後、前記メモリに書き込まれたデータを用いて上位レイヤに関する処理データを上書きする上書き手段と、
該上書きされた処理データを送信データとして前記パケットを作成するパケット作成手段と、
該パケットの送信先アドレスに対して、該パケットを送信する送信手段と
を具備することを特徴とするデータ改竄防止中継器。
【請求項２】
ネットワークを介してパケットを受信する受信手段と、
前記パケットに含まれる上位レイヤに関するデータを、上位レイヤの処理前にメモリに書き込むデータ保持手段と、
上位レイヤの処理後、上位レイヤの処理データと前記メモリに書き込まれたデータとを比較する比較手段と、
前記処理データと前記メモリに書き込まれたデータとが一致しない場合に、前記パケットの送信元に対してデータ改竄を通知する通知手段と
を具備することを特徴とするデータ改竄防止中継器。
【請求項３】
ネットワークを介してパケットを受信する受信手段と、
前記パケットに含まれる上位レイヤに関するデータを、上位レイヤの処理前にメモリに書き込むデータ保持手段と、
上位レイヤの処理後、上位レイヤの処理データと前記メモリに書き込まれたデータとを比較する比較手段と、
前記処理データと前記メモリに書き込まれたデータとが一致しない場合に、前記メモリに書き込まれたデータを用いて前記処理データを上書きする上書き手段と
を具備することを特徴とするデータ改竄防止中継器。
【請求項４】
前記処理データと前記メモリに書き込まれたデータとが一致しない場合に、前記パケットの送信元に対してデータ改竄を通知する通知手段をさらに具備することを特徴とする請求項３に記載のデータ改竄防止中継器。
【請求項５】
前記パケットの送信元に対してデータ改竄を通知する通知情報は、前記中継器のＩＰアドレスまたはＭＡＣアドレスまたはその両方である
ことを特徴とする請求項２または請求項４に記載のデータ改竄防止中継器。
【請求項６】
前記通知情報は、前記通知手段がデータ改竄を検出した日時に関する情報を含む
ことを特徴とする請求項５に記載のデータ改竄防止中継器。
【請求項７】
ネットワーク上で送受信されるパケットに付加されており、所定のレイヤの処理の際に中継器によって実行されるプログラムであって、
前記パケットに含まれる上位レイヤに関するデータを、上位レイヤの処理前にメモリに書き込むデータ保持処理と、
上位レイヤの処理後、前記メモリに書き込まれたデータを用いて上位レイヤに関する処理データを上書きする上書き処理と
を中継器に実行させるためのデータ改竄防止プログラム。
【請求項８】
請求項７の項に記載のデータ改竄防止プログラムをリモート実行型ソフトウェアとして、所定のレイヤの処理の際に送信データに付加して前記パケットを作成するパケット作成手段と、
該パケットを送信する送信する送信手段と
を具備することを特徴とするデータ改竄防止パケット送信機。
【請求項９】
データ改竄を通知する前記通知情報を前記中継器から受けて、データ改竄があったことを示すエラーメッセージ又はアラートメッセージを表示する表示手段
をさらに具備することを特徴とする請求項８に記載のデータ改竄防止パケット送信機。
【請求項１０】
前記パケットに含まれるアプリケーションデータを所定の暗号化アルゴリズムによって暗号化する暗号化手段
をさらに具備することを特徴とする請求項８または請求項９に記載のデータ改竄防止パケット送信機。
【請求項１１】
前記パケットに含まれるアプリケーションデータを所定のデータ圧縮アルゴリズムによって圧縮するデータ圧縮手段
をさらに具備することを特徴とする請求項８から請求項１０のいずれかの項に記載のデータ改竄防止パケット送信機。
【手続補正２】
【補正対象書類名】明細書
【補正対象項目名】０００６
【補正方法】変更
【補正の内容】
【０００６】
【課題を解決するための手段】
本発明は上記の課題を解決すべくなされたもので、本発明のデータ改竄防止中継器は、ネットワークを介してパケットを受信する受信手段と、前記パケットに含まれる上位レイヤに関するデータを、上位レイヤの処理前にメモリに書き込むデータ保持手段と、上位レイヤの処理後、前記メモリに書き込まれたデータを用いて上位レイヤに関する処理データを上書きする上書き手段と、該上書きされた処理データを送信データとして前記パケットを作成するパケット作成手段と、該パケットの送信先アドレスに対して、該パケットを送信する送信手段とを具備することを特徴とする
【手続補正３】
【補正対象書類名】明細書
【補正対象項目名】０００７
【補正方法】変更
【補正の内容】
【０００７】
また、本発明のデータ改竄防止中継器は、ネットワークを介してパケットを受信する受信手段と、前記パケットに含まれる上位レイヤに関するデータを、上位レイヤの処理前にメモリに書き込むデータ保持手段と、上位レイヤの処理後、上位レイヤの処理データと前記メモリに書き込まれたデータとを比較する比較手段と、前記処理データと前記メモリに書き込まれたデータとが一致しない場合に、前記パケットの送信元に対してデータ改竄を通知する通知手段とを具備することを特徴とする。
【手続補正４】
【補正対象書類名】明細書
【補正対象項目名】０００８
【補正方法】変更
【補正の内容】
【０００８】
また、本発明のデータ改竄防止中継器は、ネットワークを介してパケットを受信する受信手段と、前記パケットに含まれる上位レイヤに関するデータを、上位レイヤの処理前にメモリに書き込むデータ保持手段と、上位レイヤの処理後、上位レイヤの処理データと前記メモリに書き込まれたデータとを比較する比較手段と、前記処理データと前記メモリに書き込まれたデータとが一致しない場合に、前記メモリに書き込まれたデータを用いて前記処理データを上書きする上書き手段とを具備することを特徴とする。
【手続補正５】
【補正対象書類名】明細書
【補正対象項目名】０００９
【補正方法】変更
【補正の内容】
【０００９】
また、本発明のデータ改竄防止中継器は、前記処理データと前記メモリに書き込まれたデータとが一致しない場合に、前記パケットの送信元に対してデータ改竄を通知する通知手段をさらに具備することを特徴とする。
【手続補正６】
【補正対象書類名】明細書
【補正対象項目名】００１０
【補正方法】変更
【補正の内容】
【００１０】
また、本発明のデータ改竄防止中継器は、前記パケットの送信元に対してデータ改竄を通知する通知情報は、前記中継器のＩＰアドレスまたはＭＡＣアドレスまたはその両方であることを特徴とする。
【手続補正７】
【補正対象書類名】明細書
【補正対象項目名】００１１
【補正方法】変更
【補正の内容】
【００１１】
また、本発明のデータ改竄防止中継器は、前記通知情報が前記通知手段がデータ改竄を検出した日時に関する情報を含むことを特徴とする。
【手続補正８】
【補正対象書類名】明細書
【補正対象項目名】００１２
【補正方法】変更
【補正の内容】
【００１２】
また、本発明のデータ改竄防止プログラムは、ネットワーク上で送受信されるパケットに付加されており、所定のレイヤの処理の際に中継器によって実行されるプログラムであって、前記パケットに含まれる上位レイヤに関するデータを、上位レイヤの処理前にメモリに書き込むデータ保持処理と、上位レイヤの処理後、前記メモリに書き込まれたデータを用いて上位レイヤに関する処理データを上書きする上書き処理とを中継器に実行させるためのプログラムである。
【手続補正９】
【補正対象書類名】明細書
【補正対象項目名】００１３
【補正方法】変更
【補正の内容】
【００１３】
また、本発明のデータ改竄防止パケット送信機は、上記データ改竄防止プログラムをリモート実行型ソフトウェアとして、所定のレイヤの処理の際に送信データに付加して前記パケットを作成するパケット作成手段と、該パケットを送信する送信する送信手段とを具備することを特徴とする。
【手続補正１０】
【補正対象書類名】明細書
【補正対象項目名】００１４
【補正方法】変更
【補正の内容】
【００１４】
また、本発明のデータ改竄防止パケット送信機は、データ改竄を通知する前記通知情報を前記中継器から受けて、データ改竄があったことを示すエラーメッセージ又はアラートメッセージを表示する表示手段をさらに具備することを特徴とする。
【手続補正１１】
【補正対象書類名】明細書
【補正対象項目名】００１５
【補正方法】変更
【補正の内容】
【００１５】
また、本発明のデータ改竄防止パケット送信機は、前記パケットに含まれるアプリケーションデータを所定の暗号化アルゴリズムによって暗号化する暗号化手段をさらに具備することを特徴とする。
【手続補正１２】
【補正対象書類名】明細書
【補正対象項目名】００１６
【補正方法】変更
【補正の内容】
【００１６】
また、本発明のデータ改竄防止パケット送信機は、前記パケットに含まれるアプリケーションデータを所定のデータ圧縮アルゴリズムによって圧縮するデータ圧縮手段をさらに具備することを特徴とする。